(57)【特許請求の範囲】
【請求項１】
第Ｎ（Ｎは任意の整数）フレーム期間に、信号バスドライバにより液晶表示素子の奇または偶数列の信号バスを正極性の黒階調電圧（＋Ｖｓｂ）及び白階調電圧（＋Ｖｓｗ）を用いて書込み、偶または奇数列の信号バスを負極性の黒階調電圧（−Ｖｓｂ）及び白階調電圧（−Ｖｓｗ）を用いて書込み、第Ｎ＋１フレーム期間に書込む階調電圧の極性を反転させて、奇または偶数列の信号バスを前記負極性の黒（−Ｖｓｂ）及び白階調電圧（−Ｖｓｗ）を用いて書込み、偶または奇数列の信号バスを前記正極性の黒（＋Ｖｓｂ）及び白階調電圧（＋Ｖｓｗ）を用いて書込み、以後、前記第Ｎ及び第Ｎ＋１フレーム期間の駆動を交互に繰り返す液晶表示素子の列間交流駆動方法において、
前記ＮまたはＮ＋１フレーム期間において、少なくとも１Ｈ（Ｈは水平時間）の第１期間にノーマリーホワイトモードの場合に黒の書込みを行い、ノーマリーブラックモードのときに白の書込みを行い、次に少なくとも１Ｈの第２期間にノーマリーホワイトモードのときに白の書込みを行い、ノーマリーブラックモードのときに黒の書込みを行う場合に、前記第２期間では、奇または偶数列の信号バス容量（ＣｏまたはＣｅ）の蓄積電荷で偶または奇数列の信号バス容量（ＣｅまたはＣｏ）を充電することを特徴とする液晶表示素子の列間交流駆動方法。
【請求項２】
第Ｎ（Ｎは任意の整数）フレーム期間に、信号バスドライバにより液晶表示素子の奇または偶数列の信号バスを正極性の黒階調電圧（＋Ｖｓｂ）及び白階調電圧及び（＋Ｖｓｗ）を用いて書込み、偶または奇数列の信号バスを負極性の黒階調電圧（−Ｖｓｂ）及び白階調電圧（−Ｖｓｗ）を用いて書込み、第Ｎ＋１フレーム期間に、書込む階調電圧の極性を反転させて、奇または偶数列の信号バスを前記負極性の黒階調電圧（−Ｖｓｂ）及び白階調電圧（−Ｖｓｗ）を用いて書込み、偶または奇数列の信号バスを前記正極性の黒（＋Ｖｓｂ）及び白階調電圧（＋Ｖｓｗ）を用いて書込み、以後、前記第Ｎ及び第Ｎ＋１フレーム期間の駆動を交互に繰り返す液晶表示素子の列間交流駆動方法において、
前記奇または偶数列の信号バスに対して、前記Ｎフレーム期間において、少なくとも１Ｈ（Ｈは水平時間）の第１期間にノーマリーホワイトモードのときに黒書込みを行い、ノーマリーブラックモードのときに白書込みを行い、次に、少なくとも１Ｈの第２期間にノーマリーホワイトモードのときに白書込みを行い、ノーマリーブラックモードのときに黒書込みを行い、前記Ｎ＋１フレーム期間において、少なくとも１Ｈの第３期間にノーマリーホワイトモードのときに黒書込みを行い、ノーマリーブラックモードのときに白書込みを行い、次に少なくとも１Ｈの第４期間にノーマリーホワイトモードのときに白書込みを行い、ノーマリーブラックモードのときに黒書込みを行う場合に、前記第２期間において、奇または偶数列の信号バス容量（ＣｏまたはＣｅ）の蓄積電荷を大容量コンデンサに移動させて回収し、その回収した電荷で前記第４期間に、奇または偶数列の信号バス容量（ＣｏまたはＣｅ）を充電することを特徴とする液晶表示素子の列間交流駆動方法。
【請求項３】
第Ｎ（Ｎは任意の整数）フレーム期間に、信号バスドライバにより液晶表示素子の奇または偶数列の信号バスを正極性の多階調電圧（Ｖ１，Ｖ２，…，Ｖｎ；Ｖ１>Ｖ２>…Ｖｎ）を用いて書込み、偶または奇数列の信号バスを負極性の多階調電圧（−Ｖ１，−Ｖ２，…，−Ｖｎ）を用いて書込み、第Ｎ＋１フレーム期間に、書込む階調電圧の極性を反転させて、奇または偶数列の信号バスを前記負極性の多階調電圧（−Ｖ１，−Ｖ２，…−Ｖｎ）を用いて書込み、偶または奇数列の信号バスを前記正極性の多階調電圧（Ｖ１，Ｖ２，…，Ｖｎ）を用いて書込み、以後、前記第Ｎ及び第Ｎ＋１フレーム期間の駆動を交互に繰り返す液晶表示素子の列間交流駆動方法において、
前記ＮまたはＮ＋１フレーム期間において、少なくとも１Ｈ（Ｈは水平時間）の第１期間に階調電圧｛±Ｖｉ（ｉ<ｎ）｝で書込みを行い、次に少なくとも１Ｈの第２期間に階調電圧｛±Ｖｊ（ｉ<ｊ）｝で書込みを行う場合に、前記第２期間では、奇または偶数列の信号バス容量（ＣｏまたはＣｅ）の蓄積電荷で偶または奇数列の信号バス容量（ＣｅまたはＣｏ）を充電することを特徴とする液晶表示素子の列間交流駆動方法。
【請求項４】
第Ｎ（Ｎは任意の整数）フレーム期間に、信号バスドライバにより液晶表示素子の奇または偶数列の信号バスを正極性の多階調電圧（Ｖ１，Ｖ２，…，Ｖｎ；Ｖ１>Ｖ２>…Ｖｎ）を用いて書込み、偶または奇数列の信号バスを負極性の多階調電圧（−Ｖ１，−Ｖ２，…，−Ｖｎ）を用いて書込み、第Ｎ＋１フレーム期間に、書込む階調電圧の極性を反転させて、奇または偶数列の信号バスを前記負極性の多階調電圧（−Ｖ１，−Ｖ２，…−Ｖｎ）を用いて書込み、偶または奇数列の信号バスを前記正極性の多階調電圧（Ｖ１，Ｖ２，…，Ｖｎ）を用いて書込み、以後、前記第Ｎ及び第Ｎ＋１フレーム期間の駆動を交互に繰り返す液晶表示素子の列間交流駆動方法において、
前記奇または偶数列の信号バスに対して、Ｎフレーム期間において、少なくとも１Ｈ（Ｈは水平時間）の第１期間に階調電圧｛±Ｖｉ（ｉ<ｎ）｝で書込みを行い、次に少なくとも１Ｈの第２期間に階調電圧｛±Ｖｊ（ｉ>ｊ）｝で書込みを行い、前記Ｎ＋１フレーム期間において、少なくとも１Ｈの第３期間に階調電圧｛±Ｖｉ′（ｉ′<ｎ）｝で書込みを行い、次に少なくとも１Ｈの第４期間に階調電圧｛±Ｖｊ′（ｊ′>ｉ′）｝で書込みを行う場合に、前記第２期間において、奇または偶数列の信号バス容量（ＣｏまたはＣｅ）の蓄積電荷を大容量コンデンサに移動させて回収し、その回収した電荷で前記第４期間に、奇または偶数列の信号バス容量（ＣｅまたはＣｏ）を充電することを特徴とする液晶表示素子の列間交流駆動方法。
【発明の詳細な説明】
【０００１】
【発明の属する技術分野】
この発明は液晶表示素子（ＬＣＤ）の列間交流駆動方法に関し、特に低消費電力化に係わる。
【０００２】
【従来の技術】
ノーマリーホワイトモード（Ｎ／Ｗモードと言う）のＬＣＤを駆動する従来の列間交流駆動回路を図９に示す。奇数列の信号バス（ソースバス）容量Ｃｏと偶数列の信号バス（ソースバス）容量Ｃｅはほぼ等しく、それぞれＣｓとすると、全ソースバス容量は２Ｃｓとなる。第Ｎフレームにおいて、奇数列（Ｃｏ）が正書込みであり、端子Ｓ１とＳ２が交互に選択され、端子Ｓ３，Ｓ４は選択されない。逆に偶数列（Ｃｅ）が負書込みであり、Ｓ３′とＳ４′が交互に選択され、Ｓ１′，Ｓ２′は選択されない。
【０００３】
第Ｎ＋１フレームでは奇数列ソースバス（Ｃｏ）が負書込みであり、Ｓ３とＳ４が選択され、Ｓ１，Ｓ２は選択されない。偶数列（Ｃｅ）側ではＳ１′とＳ２′が交互に選択され、Ｓ３´，Ｓ４´は選択されない。交流化は上記のように行われる。
図９において、＋Ｖｓｂは正の黒階調電圧、＋Ｖｓｗは正の白階調電圧、−Ｖｓｗは負の白階調電圧、−Ｖｓｂは負の黒階調電圧である。
【０００４】
ソースバス容量を充放電する電荷の移動がＬＣＤ３の消費電流となるので、ここではＬＣＤの消費電力が最大となる図９Ｂの１Ｈ（Ｈは水平時間）ごとに駆動電圧が“黒”→“白”→“黒”となる場合の電荷の移動量を求める。
まず、Ｎフレームの正書込みのＣｏ側で考える。初期条件として奇数列ソースバス（Ｃｏ）にはＶｓｗＣｏの電荷が蓄えられているものとする。
【０００５】
Ｈ１の１水平期間では、ＬＣＤ黒表示の時、トランジスタＱ１ａのコレクタ〜エミッタを通じて奇数列のソースバス容量ＣｏにはＣｏ（Ｖｓｂ−Ｖｓｗ）の電荷が充電される。
Ｈ２の期間では、ＬＣＤ白表示の時、Ｃｏ（Ｖｓｂ−Ｖｓｗ）の電荷がソースバス容量ＣｏからＱ２ｂを通じて電源１の−Ｖｓｂ側に放電され、初期条件に戻る。
【０００６】
以上をまとめて図１０に示す。Ｈ１，Ｈ２と同様の動作が１フレーム期間にわたって交互に繰り返される。
ここで、Ｈ１＋Ｈ２の期間に正書込みのＣｏ側で、Ｃｏを介して正側電源＋Ｖｓｂから負側電源−Ｖｓｂへ移動する電荷はＣｏ（Ｖｓｂ−Ｖｓｗ）である。従ってＣｏを介して正側電源＋Ｖｓｂから負側電源−Ｖｓｂに流れ込む電流Ｉｏは、水平同期周波数をｆＨＳとすると、Ｃｏ＝Ｃｓと置いて、（１）式で与えられる。
【０００７】
Ｉｏ＝Ｃｓ（Ｖｓｂ−Ｖｓｗ）ｆＨＳ／２            ……………（１）
負書込みのＣｅ側でも同様なことが言え、正側電源＋ＶｓｂよりＣｅを介して負側電源−Ｖｓｂに流れ込む電流は、
Ｉｅ＝Ｃｓ（Ｖｓｂ−Ｖｓｗ）ｆＨＳ／２            ……………（２）
従って、従来方式では、
Ｉ＝Ｉｏ＋Ｉｅ＝Ｃｓ（Ｖｓｂ−Ｖｓｗ）ｆＨＳ      ……………（３）
の電流が電源１のＶｓｂ−（−Ｖｓｂ）＝２Ｖｓｂの電位差のある正極、負極間に流れるので、ＬＣＤ３の消費電力の最大値は、ほぼ
Ｐｍａｘ  ＝２ＶｓｂＣｓ（Ｖｓｂ−Ｖｓｗ）ｆＨＳ      ……………（４）
となる。上述において、電力の最大値としたのは、１行ごとに黒、白、黒、白…と表示する場合が、バス容量を充放電する周波数がｆＨＳ／２の最大の値をとるからである。
【０００８】
これ迄はＬＣＤ３がＮ／Ｗモードの場合を例として説明したが、Ｎ／Ｂ（ノーマリーブラック）モードの場合は、これ迄の記載及び図面において、白→黒；黒→白；Ｖｓｂ→Ｖｓｗ；Ｖｓｗ→Ｖｓｂと読み換えればよい。
【０００９】
【発明が解決しようとする課題】
従来の駆動方法では、Ｎ／ＷモードのＬＣＤの場合（４）式の電力Ｐｍａｘ  がＬＣＤ３で消費される。この発明ではこのような消費電力を節減することを目的としている。
【００１０】
【課題を解決するための手段】
（１）請求項１の発明は、第Ｎ（Ｎは任意の整数）フレーム期間に、信号バスドライバにより液晶表示素子の奇または偶数列の信号バスを正極性の“黒”及び“白”階調電圧（＋Ｖｓｂ及び＋Ｖｓｗ）を用いて書込み、偶または奇数列の信号バスを負極性の“黒”及び“白”階調電圧（−Ｖｓｂ及び−Ｖｓｗ）を用いて書込み、第Ｎ＋１フレーム期間に、書込む階調電圧の極性を反転させて、奇または偶数列の信号バスを前記負極性の“黒”及び“白”階調電圧（−Ｖｓｂ及び−Ｖｓｗ）を用いて書込み、偶または奇数列の信号バスを正極性の“黒”及び“白”階調電圧（＋Ｖｓｂ及び＋Ｖｓｗ）を用いて書込み、以後、第Ｎ及び第Ｎ＋１フレーム期間の駆動を交互に繰り返す液晶表示素子の列間交流駆動方法に関する。
【００１１】
請求項１では特に、Ｎ（またはＮ＋１）フレーム期間において、少なくとも１Ｈ（Ｈは水平時間）の第１期間にＮ／Ｗモードの場合“黒”、Ｎ／Ｂモードの場合“白”書込みを行い、次に少なくとも１Ｈの第２期間にＮ／Ｗモードの場合“白”、Ｎ／Ｂモードの場合“黒”書込みを行う場合に、第２期間では、奇（または偶）数列の信号バス容量Ｃｏ（またはＣｅ）の蓄積電荷で偶（または奇）数列の信号バス容量Ｃｅ（またはＣｏ）を充電する。
【００１２】
（２）請求項２の発明も、請求項１と同様に白黒表示のＬＣＤの列間交流駆動方法に関する。
請求項２では特に、奇（または偶）数列の信号バスに対して、Ｎフレーム期間において、少なくとも１Ｈ（Ｈは水平時間）の第１期間にＮ／Ｗモードの場合“黒”、Ｎ／Ｂモードの場合“白”書込みを行い、次に、少なくとも１Ｈの第２期間にＮ／Ｗモードの場合“白”、Ｎ／Ｂモードの場合“黒”書込みを行い、Ｎ＋１フレーム期間において、少なくとも１Ｈの第３期間にＮ／Ｗモードの場合“黒”、Ｎ／Ｂモードの場合“白”書込みを行い、次に少なくとも１Ｈの第４期間にＮ／Ｗモードの場合“白”、Ｎ／Ｂモードの場合“黒”書込みを行う場合に、第２期間において、奇（または偶）数列の信号バス容量Ｃｏ（またはＣｅ）の蓄積電荷を大容量コンデンサに移動させて回収し、その回収した電荷で第４期間に、奇（または偶）数列の信号バス容量Ｃｏ（またはＣｅ）を充電する。
【００１３】
（３）請求項３の発明は、第Ｎ（Ｎは任意の整数）フレーム期間に、信号バスドライバにより液晶表示素子の奇または偶数列の信号バスを正極性の多階調電圧（Ｖ１，Ｖ２，…，Ｖｎ；Ｖ１＞Ｖ２＞…Ｖｎ）を用いて書込み、偶または奇数列の信号バスを負極性の多階調電圧（−Ｖ１，−Ｖ２，…，−Ｖｎ）を用いて書込み、第Ｎ＋１フレーム期間に、書込む階調電圧の極性を反転させて、奇または偶数列の信号バスを負極性の多階調電圧（−Ｖ１，−Ｖ２，…−Ｖｎ）を用いて書込み、偶または奇数列の信号バスを正極性の多階調電圧（Ｖ１，Ｖ２，…，Ｖｎ）を用いて書込み、以後、第Ｎ及び第Ｎ＋１フレーム期間の駆動を交互に繰り返す液晶表示素子の列間交流駆動方法に関する。
【００１４】
請求項３の発明では特に、Ｎ（またはＮ＋１）フレーム期間において、少なくとも１Ｈ（Ｈは水平時間）の第１期間に階調電圧｛±Ｖｉ（ｉ＜ｎ）｝で書込みを行い、次に少なくとも１Ｈの第２期間に階調電圧｛±Ｖｊ（ｉ＜ｊ）｝で書込みを行う場合に、第２期間では、奇（または偶）数列の信号バス容量Ｃｏ（またはＣｅ）の蓄積電荷で偶（または奇）数列の信号バス容量Ｃｅ（またはＣｏ）を充電する。
【００１５】
（４）請求項４の発明も、請求項３と同様に、多階調表示のＬＣＤの列間交流駆動方法に関する。
請求項４では特に、奇（または偶）数列の信号バスに対して、Ｎフレーム期間において、少なくとも１Ｈ（Ｈは水平時間）の第１期間に階調電圧｛±Ｖｉ（ｉ＜ｎ）｝で書込みを行い、次に少なくとも１Ｈの第２期間に階調電圧｛±Ｖｊ（ｉ＞ｊ）｝で書込みを行い、Ｎ＋１フレーム期間において、少なくとも１Ｈの第３期間に階調電圧｛±Ｖｉ′（ｉ′＜ｎ）｝で書込みを行い、次に少なくとも１Ｈの第４期間に階調電圧｛±Ｖｊ′（ｊ′＞ｉ´）｝で書込みを行う場合に、第２期間において、奇（または偶）数列の信号バス容量Ｃｏ（またはＣｅ）の蓄積電荷を大容量コンデンサに移動させて回収し、その回収した電荷で第４期間に、奇（または偶）数列の信号バス容量Ｃｅ（またはＣｏ）を充電する。
【００１６】
【発明の実施の形態】
実施例１（請求項１）
請求項１の発明のＮ／Ｗモードの場合の実施例を図１に、図９と対応する部分に同じ符号を付けて示す。図１ＢのＮフレームにおける水平時間Ｈ１，Ｈ２の回路動作を説明する。従来例と同様に、正の黒及び白階調電圧を＋Ｖｓｂ，＋Ｖｓｗとし、負の黒及び白階調電圧を−Ｖｓｂ，−Ｖｓｗとする。
【００１７】
（ａ）第Ｎフレームの奇数列（Ｃｏ）への正書込み動作
初期条件として、Ｃｏの電荷をＣｏＶｓｗとする。
▲１▼  Ｈ１の期間では、第１行の画素は黒表示とされ、ソースバス容量Ｃｏには、電源１よりトランジスタＱ１ａのコレクタ〜エミッタを通じて＋Ｖｓｂが供給され、Ｃｏ（Ｖｓｂ−Ｖｓｗ）の電荷がＣｏへ移動する。
【００１８】
▲２▼  Ｈ２の期間では第２行の画素は白表示される。ソースバス容量Ｃｏには、電源１よりトランジスタＱ２ａのコレクタ〜エミッタを通じて＋Ｖｓｗが供給され、Ｃｏ（Ｖｓｂ−Ｖｓｗ）の電荷がＣｏよりトランジスタＱ２ｂのエミッタ〜コレクタを通じて共通電位点に移動する。
以後Ｈ１，Ｈ２期間と同様の動作が交互に繰り返される。以上の動作を図２Ａにまとめて示す。
【００１９】
（ｂ）第Ｎフレームの偶数列（Ｃｅ）への負書込み動作
初期条件として、Ｃｅの電荷を−ＣｅＶｓｗとする。
▲１▼  Ｈ１の期間では、第１行の画素は黒表示とされ、ソースバス容量Ｃｅには、電源１の負極よりＱ４ｂのコレクタ〜エミッタを通じて−Ｖｓｂが供給され、Ｃｅ（Ｖｓｂ−Ｖｓｗ）の電荷がＣｅよりＱ４ｂのエミッタ〜コレクタを通じて電源１の負極側へ移動する。
【００２０】
▲２▼  Ｈ２の期間では、共通電位点よりＱ３ａのコレクタ〜エミッタを通じて−ＶｓｗがＣｅに供給され、Ｃｅ（Ｖｓｂ−Ｖｓｗ）の電荷が共通電位点よりＣｅへ移動する。
以後Ｈ１，Ｈ２と同様の動作が繰り返される。上述の動作をまとめて図２Ａに示す。
【００２１】
上述の（ａ）の▲２▼において、ＣｏよりＣｏ（Ｖｓｂ−Ｖｓｗ）の電荷が共通電位点に移動するとし、一方、（ｂ）の▲２▼において、共通電位点よりＣｅ（Ｖｓｂ−Ｖｓｗ）の電荷がＣｅへ移動するとしたが、Ｃｏ＝Ｃｅ＝Ｃｓであるので、全ソースバス容量Ｃｏ＋Ｃｅより共通電位点に移動した電荷は結局ゼロとなる。従って、Ｈ２の期間にＣｏより共通電位点を介してＣｓ（Ｖｓｂ−Ｖｓｗ）の電荷がＣｅへ移動したと観ることができる。よって、Ｈ２の期間ではＬＣＤが電源電力を消費することはない。
【００２２】
Ｈ１の期間では上記（ａ）▲１▼において、電源の正極よりＣｓ（Ｖｓｂ−Ｖｓｗ）の電荷がＣｏへ移動すると共に、上記（ｂ）▲１▼において、Ｃｅから同量の電荷が電源の負極へ移動する。
上記の駆動が１フレーム期間にわたって繰り返されるが、ここで従来と違うのは、従来の正書込み（Ｃｏ）側でＨ２の期間にソースバス容量（Ｃｏ）から放電されるＣｓ（Ｖｓｂ−Ｖｓｗ）の電荷はそのまま負側電源−Ｖｓｂに流れて、電力ロスになっていたのに対し、図１ではその電荷がそのまま負書込み側のソースバス容量Ｃｅの充電に用いられるという点である。
【００２３】
図１の回路では、電源の＋Ｖｓｂ側からＣｏ，Ｃｅを介して電源の−Ｖｓｂ側へ移動する電荷はＨ１期間におけるＣｓ（Ｖｓｂ−Ｖｓｗ）であり、電荷の移動による電流Ｉは、
Ｉ＝Ｃｓ（Ｖｓｂ−Ｖｓｗ）ｆＨｓ／２                  …………（５）
となる。（５）の電流が電源１の＋Ｖｓｂ−（Ｖｓｂ）＝２Ｖｓｂの電位差のある正極より負極へ、ＬＣＤのＣｏ，Ｃｅを介して流れるので、ＬＣＤの消費電力の最大値は
Ｐｍａｘ  ＝２ＶｓｂＩ＝ＶｓｂＣｓ（Ｖｓｂ−Ｖｓｗ）・ｆＨｓ  ……（６）
となる。これより従来の（４）式に比べて半分の電力ですむ。
【００２４】
以上はＮフレーム期間を例として述べたが、Ｎ＋１フレーム期間でも同様であり、その動作を図２Ｂにまとめて示す。Ｎ＋１フレームにおいても（５），（６）式が同様に成り立つ。
以上ＬＣＤがＮ／Ｗモードの場合を述べたがＮ／Ｂモードの場合には従来例で述べたように、“黒”と“白”及びＶｓｂとＶｓｗを互いに読み換える必要がある。この読み換えは次の実施例２及び３に於いても同様である。
【００２５】
実施例２（請求項１）
図１のＮ／Ｗモードの実施例では説明を簡略にするため、正負の中間電位を共通電位；０（Ｖ）として算出したが、実際のＬＣＤでは、＋Ｖｓｂから−Ｖｓｂの両極電源構成でなく、図３Ａに示すように＋２Ｖｓｂから０（Ｖ）の単極電源構成になり、正負の中間電位は＋Ｖｓｂに設定される。この場合も、Ｃｏの正書込みで使った電荷を０（Ｖ）に放出するのではなく、＋Ｖｓｂを経由してＣｅの負側書込みで必要とする電荷として使えば、これまでと同じ電力を削減できる。
【００２６】
実施例３（請求項２）
Ｃｏ≒Ｃｅであることに加えて一般に映像信号は冗長度が大きく、隣あった奇数、偶数に書き込むべき映像信号はほぼ等しいので、正書込み側に流れる電流と負書込み側に流れる電流とがほぼ等しくなるので、上述のように電荷（電流）を無駄にせず再利用できるのである。しかし、例えば１列ごとに“黒”→“白”→“黒”と並ぶ縦ストライプ表示や市松表示といった場合には再利用できない。その場合は大容量のコンデンサを用いて同等の効果を得ることができる。次に、それについて説明する。
【００２７】
ここでは奇数列、偶数列で使用する電荷にアンバランスがある場合について考える。
図３ＡのＮ／Ｗモードの駆動回路を用いて、図４のように第Ｎフレームの時は正書込み側（Ｃｏ）は“黒”→“白”→“黒”と変化し、負書込み側（Ｃｅ）は“白”で変化しないものとする。また第Ｎ＋１フレームの時は、正書込み側（Ｃｅ）は“白”で変化しないで、負書込み側（Ｃｏ）は“黒”→“白”→“黒”と変化する場合を考える。この時、電荷の移動は図５に示すように行われる。
【００２８】
ここで、第Ｎフレームにおいて、“黒”→“白”の時に正書込み側のソースバス容量（Ｃｏ）からｑ＝Ｃｓ（Ｖｓｂ−Ｖｓｗ）の電荷がオペアンプＡ５の出力側に放電されるが、負書込み側のＣｅではＣｓ（Ｖｓｂ−Ｖｓｗ）の電荷が１フレーム期間にわたって保持される。図３Ａの回路だと、Ａ５に吸い込まれた電荷ｑはＡ５の負側電源（ＧＮＤ）に流れてしまう。そこで、ｑを一時的に蓄えておくためのコンデンサＣａを設ける。また第Ｎ＋１フレームでは負書込み側のＣｏを充電するのにｑ＝Ｃｓ（Ｖｓｂ−Ｖｓｗ）の電荷が必要となるから、第Ｎフレームで正書込み時にＣｏよりＣａに移した電荷を第Ｎ＋１フレームでＣｏの負書込みに使用してやればよい。このような考えに基づいて低電力化を図ったＮ／Ｗモードの回路が図６である。
【００２９】
ここで充放電コンデンサＣａの容量の決定については、“黒”→“白”→“黒”（１行ごとに黒→白を繰り返す）表示の時、ソースバス容量がもっとも充放電を繰り返すので、この条件のもとで考えると、ＮフレームにおけるコンデンサＣａの電位変動をΔＶ，表示画面の行数をＮ（ＶＧＡならＮ＝４８０，ＳＶＧＡならＮ＝６００）とすると、
Ｃａ・ΔＶ＝Ｃｓ（Ｖｓｂ−Ｖｓｗ）Ｎ／２                ……（７）
となり、電位変化ΔＶがＶｓｗより充分小さくなるようにＣａを決定する。そうしないとソースバスに書き込まれるべき映像信号が変化して表示品位がさがってしまう。
【００３０】
また正書込み側のソースバス容量Ｃｏから放電された電荷がオペアンプＡ５のＧＮＤに流れてしまわないようにするため抵抗Ｒが必要となる。Ｒの定数は前記で求めたコンデンサの容量Ｃａとの時定数が１フレーム期間よりも十分大きくなるようにする。ただし、Ｒの大きさの範囲は映像を変化した場合、画面の変化に対して人間の目では変化に気付かないようにする必要があり、数百ｍｓと見たうえで、１フレーム期間よりは十分大きく数百ｍｓの時定数の範囲の中でＲの定数を決定する。
【００３１】
実施例４（請求項４）
動画でも一般に映像信号は冗長度が大きいので、第Ｎフレームと第Ｎ＋１フレームとでは映像に大きな変化は見られない。これより正書込み電荷と負書込み電荷はほぼ等しいから図６に関連して既に述べたように、Ｎフレームで正書込み時にＣａに蓄えた電荷を第Ｎ＋１フレームで負書込みに使用できる。
【００３２】
またこれ迄は白黒表示の静止画を例に挙げてきたが、多階調表示の静止画の場合についても、階調電圧の本数が増えるだけで、理論は白黒表示の場合と同じである。ここでは、４階調表示を例に挙げる。
図７Ａの４階調表示でＡ，Ｂ，Ｃ，Ｄと４つの階調があり、それぞれの階調電圧をそれぞれＶＡ  ，ＶＢ  ，ＶＣ  ，ＶＤ  とする。ここで、図７Ｂのように、第Ｎフレームの時は、正書込み（Ｃｏ）側が“Ａ”→“Ｂ”→“Ｃ”，負書込み（Ｃｅ）側が“Ｄ”→“Ａ”→“Ｃ”と階調を変化させ、第Ｎ＋１フレームの時は、正書込み（Ｃｏ）側が“Ｄ”→“Ａ”→“Ｃ”，負書込み（Ｃｅ）側が“Ａ”→“Ｂ”→“Ｃ”と階調を変化させた場合について考える。この場合のＣｏ，Ｃｅの充放電の状況を図８に示す。
【００３３】
図８より、奇数列（Ｃｏ）だけを考えた時には次のことが言える。第Ｎフレームでは、Ｈ２期間にＣｏ（ＶＡ  −ＶＢ  ），Ｈ３の期間にＣｏ（ＶＢ  −ＶＣ  ）の電荷がＣｏから放電され、その電荷はＣａに充電される。
第Ｎ＋１フレームでは、Ｈ２の期間にＣｏ（ＶＡ  −ＶＢ  ），Ｈ３の期間にＣｏ（ＶＢ  −ＶＣ  ）の電荷がＣｏに充電される。
【００３４】
つまり、前述の２フレームにおいては、奇数列の正書込みでＣａに充電された電荷と奇数列の負書込みで必要とされる電荷は等しい。偶数列の時、図７ＢのＮとＮ＋１フレームでは起こらないが、Ｎ＋１とＮ＋２フレームとでは上述と同じことが起こり得る。よって画面全体として２フレームで考えると、黒白の２値の場合と同じく、電力は半分で済む場合もある。
【００３５】
その他（請求項３）
図７の実施例は図６の白黒表示を多階調表示に拡張したものである。これと同様に、図１及び図３の実施例における白黒表示を多諧調表示に拡張したのが請求項３の発明である。その内容は図１，図３の白黒表示の説明から容易に理解ができるので詳細な説明を省略する。
【００３６】
これまでの説明では第Ｎフレームにおいて、Ｃｏを正書込み、Ｃｅを負書込みとし、第Ｎ＋１フレームにおいて、Ｃｏを負書込み、Ｃｅを正書込みとしたが、ＣｏとＣｅを入れ替えて、第ＮフレームにおいてＣｅを正書込み、Ｃｏを負書込みとし、第Ｎ＋１フレームにおいて、Ｃｅを負書込み、Ｃｏを正書込みとしてもよいことは明らかである。
【００３７】
【発明の効果】
▲１▼  請求項１及び３の発明では、奇／偶数列の信号バス容量Ｃｏ／Ｃｅの蓄積電荷で偶／奇数列の信号バス容量Ｃｅ／Ｃｏを充電するので、その分電源から供給を受けるＬＣＤの電力消費を低減できる。これにより最大消費電力を従来の１／２にすることができる。
【００３８】
▲２▼  請求項２及び４の発明では、第Ｎフレームにおいて奇／偶数列の信号バス容量Ｃｏ／Ｃｅの蓄積電荷を大容量コンデンサＣａに回収し、その回収した電荷で、第Ｎ＋１フレームに奇／偶数列の信号バス容量Ｃｏ／Ｃｅを充電するので、その分ＬＣＤの消費電力を低減できる。
【図面の簡単な説明】
【図１】Ａは請求項１の発明のＬＣＤ駆動方法を説明するためのＮ／Ｗモードの駆動回路の回路図、ＢはＡの要部の一例を示す波形図。
【図２】図１Ａの回路が図１Ｂの動作波形をもつ場合の、Ｎ及びＮ＋１フレームにおけるＣｏ，Ｃｅと電源１との間の電荷の移動を説明するための図。
【図３】Ａは請求項１の発明のＬＣＤ駆動方法を説明するための他のＮ／Ｗモードの駆動回路の回路図、ＢはＡの要部の一例を示す波形図。
【図４】図３Ａの要部の他の例を示す波形図。
【図５】図３Ａの駆動回路が図４の動作波形をもつ場合のＣｏ，Ｃｅと電源１との間の電荷の移動を説明するための図。
【図６】請求項２の発明のＬＣＤ駆動方法を説明するためのＮ／Ｗモードの駆動回路の回路図。
【図７】Ａは請求項３の発明のＬＣＤ駆動方法を説明するためのＮ／ＷモードまたはＮ／Ｂモードの駆動回路の回路図、ＢはＡの一例を示す波形図。
【図８】図７Ａの回路が図７Ｂの動作波形をもつ場合のＣｏ，Ｃｅの充放電を説明するための図。
【図９】Ａは従来のＬＣＤ駆動方法を説明するためのＮ／Ｗモードの駆動回路の回路図、ＢはＡの一例を示す波形図。
【図１０】図９Ａの回路が図９Ｂの動作波形をもつ場合のＣｏ，Ｃｅと電源１との間の電荷の移動を説明するための図。
【図１】
0003604251.tif 000002
【図２】
0003604251.tif 000003
【図３】
0003604251.tif 000004
【図４】
0003604251.tif 000005
【図５】
0003604251.tif 000006
【図６】
0003604251.tif 000007
【図７】
0003604251.tif 000008
【図８】
0003604251.tif 000009
【図９】
0003604251.tif 000010
【図１０】
0003604251.tif 000011